(57)【要約】【課題】記録された日付よりも前にあるいは後に音声ファイルがあるか否かをユーザが簡単に把握することができる音声ファイル再生装置及び方法を提供する。【解決手段】音声記録再生装置１００は、音声ファイルと、音声ファイルの日付データとを記録するメモリ７に記録されている音声ファイルの日付データを認識し、音声ファイルをメモリ７に記録するときに、記録される音声ファイルの日付と同一日付のフォルダがない場合、同一日付のフォルダを生成し、認識された一の日付と同じ日付、もしくは前の日付及び後の日付の音声ファイルの有無を判定し、認識された一の日付と同じ日付の音声ファイルの数と、判定された前の日付あるいは後の日付の少なくとも一方の日付の音声ファイルの存在を示す表示とを、表示器の表示画面上に表示する。【選択図】図２
2012038063.tif 000002
【特許請求の範囲】
【請求項１】
音声ファイルを再生する音声再生装置であって、
前記音声ファイルと、前記音声ファイルの日付データとを記録する記録媒体に記録されている前記音声ファイルの日付データを認識する日付認識部と、
前記音声ファイルを前記記録媒体に記録するときに、記録される音声ファイルの日付と同一日付のフォルダがない場合、前記同一日付のフォルダを生成するフォルダ生成部と、
前記記録される音声ファイルを、前記同一日付のフォルダに格納する音声ファイル格納部と、
前記日付データにより認識された一の日付と同じ日付、もしくは前の日付及び後の日付の音声ファイルの有無を判定し、前記認識された一の日付と同じ日付の音声ファイルの数と、判定された前記前の日付あるいは前記後の日付の少なくとも一方の日付の音声ファイルの存在を示す表示とを、表示器の表示画面上に表示し、かつ前記音声ファイルの数は、前記記録される音声ファイルが格納された後の前記同一日付のフォルダに含まれる音声ファイルの数である表示制御部と、
を有することを特徴とする音声再生装置。
【請求項２】
前記記録媒体に記録されている前記音声ファイルを消去する音声ファイル消去部と、
前記消去される音声ファイルを消去した後、前記消去ファイルが格納されていたフォルダ内に音声ファイルが存在しなくなったときに、前記消去ファイルが格納されていたフォルダを消去するフォルダ消去部と、
を有し、
前記音声ファイルの数は、前記消去される音声ファイルが消去された後の前記同一日付のフォルダに含まれる音声ファイルの数であることを特徴とする請求項１に記載の音声再生装置。
【請求項３】
前記記録媒体に記録されているフォルダを消去するフォルダ消去部を有し、
前記表示制御部は、フォルダが消去された後、その消去されたフォルダの日付に最も近い後の日付のフォルダを表示することを特徴とする請求項１に記載の音声再生装置。
【請求項４】
前記記録される日付を変更するための日付変更部を有することを特徴とする請求項１から３のいずれか１つに記載の音声再生装置。
【請求項５】
音声ファイルと、前記音声ファイルの日付データとを記録する記録媒体に記録されている音声ファイルの日付データを認識し、
前記音声ファイルを前記記録媒体に記録するときに、記録される音声ファイルの日付と同一日付のフォルダがない場合、前記同一日付のフォルダを生成し、
前記記録される音声ファイルを、前記同一日付のフォルダに格納し、
前記日付データにより認識された一の日付と同じ日付、もしくは前の日付及び後の日付の音声ファイルの有無を判定し、
前記認識された一の日付と同じ日付の音声ファイルの数と、判定された前記前の日付あるいは前記後の日付の少なくとも一方の日付の音声ファイルの存在を示す表示とを、表示器の表示画面上に表示し、
前記音声ファイルの数は、前記記録される音声ファイルが格納された後の前記同一日付のフォルダに含まれる音声ファイルの数であることを特徴とする音声ファイルデータの表示制御方法。
【請求項６】
前記記録媒体に記録されている前記音声ファイルを消去し、
前記消去される音声ファイルを消去した後、前記消去ファイルが格納されていたフォルダ内に音声ファイルが存在しなくなったときに、前記消去ファイルが格納されていたフォルダを消去し、
前記音声ファイルの数は、前記消去される音声ファイルが消去された後の前記同一日付のフォルダに含まれる音声ファイルの数であることを特徴とする請求項６に記載の音声ファイルデータの表示制御方法。
【請求項７】
前記記録媒体に記録されているフォルダを消去し、
フォルダが消去された後、その消去されたフォルダに最も近い後の日付のフォルダを表示することを特徴とする請求項５に記載の音声ファイルデータの表示制御方法。
【請求項８】
前記記録される日付は、変更可能であることを特徴とする請求項５から７のいずれか１つに記載の音声ファイルデータの表示制御方法。
【請求項９】
音声ファイルと当該音声ファイルが記録されたときの第１の日付データとを記録する記録媒体と、
前記音声ファイルの存在を表示する表示部と、
設定されている所定の第２の日付データを認識する日付データ認識部と、
前記記録媒体に、前記第２の日付データと同じ日付の第１の音声ファイル、前記第２の日付データよりも過去の日付の第２の音声ファイル、及び、前記第２の日付データよりも未来の日付の第３の音声ファイルが存在するか否かを判定する判定部と、
前記第１から第３の音声ファイルが存在する場合に、前記表示部の中心を含む第１の領域を視覚的に認識させるとともに当該第１の領域の中に前記第２の日付データ及び前記第２の日付データと同じ日付の音声ファイルの数を表示し、前記第１の領域に隣接する第２または第３の領域を視覚的に認識させるとともに、当該第２または第３の領域にそれぞれ前記第２または第３の音声ファイルが存在することを告知するための表示を行なう表示制御部と、
を具備し、
前記表示制御部は、前記判定部によって前記第１の音声ファイル及び前記第２または第３の音声ファイルの一方が存在すると判定された場合に、
前記第２の日付データ及び前記第２の日付データと同じ日付の前記音声ファイルの数が表示された前記第１の領域と、前記第１の領域に隣接していて前記音声ファイルの存在を告知するための表示がなされた前記第２または第３の領域の一方と、を視覚的に表示した状態とするとともに、前記第２または第３の領域の他方と当該他方に表示された音声ファイルの存在を告知するための表示とを削除して、前記第２の日付データの前後に記憶された音声ファイルの存在を知らしめるようにしたことを特徴とする音声再生装置。
【発明の詳細な説明】
【技術分野】
【０００１】
本発明は、音声再生装置及び音声ファイルデータの表示制御方法に関し、特に、記録されている音声ファイルを再生する音声再生装置及び音声ファイルデータの表示制御方法に関する。
【背景技術】
【０００２】
近年、マイクロホン等によって得られた音声信号をデジタル信号に変換して、例えば半導体メモリに記録しておき、再生時にその半導体メモリからその音声信号を読み出してアナログ信号に変換して、スピーカ等により音声として出力する、いわゆるデジタルレコーダと呼ばれる音声情報記録再生装置が広く利用されている。
【０００３】
さらに、例えば、特開２０００−２６０１６２号公報に開示されているように、日付データに基づいて、ユーザがどの日に何件の音声ファイルがあるかを容易に知ることができる音声記録再生装置が提案されている。
【先行技術文献】
【特許文献】
【０００４】
【特許文献１】特開２０００−２６０１６２号公報
【発明の概要】
【発明が解決しようとする課題】
【０００５】
しかし、上記音声情報記録再生装置によれば、ユーザは、指定された日付に音声ファイルがあるか否かと、その日付で記録された音声ファイル数とを知ることはできるが、その指定された日付よりも前に、あるいは後に音声ファイルが無いことを知ることは容易ではない。
【０００６】
例えば、ユーザは、操作部の早送りあるいは早戻し釦を押し続けて、日付情報を変更させながら、表示部に表示されたファイル数を確認するという煩雑な操作を行わなければならない。
【０００７】
あるいは、音声情報記録再生装置の表示部に月めくりカレンダーのようなカレンダーを表示させて、日付毎に音声ファイルの有無を示すようにしてもよいが、音声情報記録再生装置の表示部は、一般に大きなスペースを有していない。従って、複数の日付を含むようなカレンダーを表示させても、表示が小さいため、ユーザにとっては見づらいものとなってしまう。
【０００８】
そこで、本発明は、記録された日付よりも前にあるいは後に音声ファイルがあるか否かをユーザが簡単に把握することができる音声ファイル再生装置及び方法を提供することを目的とする。
【課題を解決するための手段】
【０００９】
本発明の一態様によれば、音声ファイルを再生する音声再生装置であって、前記音声ファイルと、前記音声ファイルの日付データとを記録する記録媒体に記録されている前記音声ファイルの日付データを認識する日付認識部と、前記音声ファイルを前記記録媒体に記録するときに、記録される音声ファイルの日付と同一日付のフォルダがない場合、前記同一日付のフォルダを生成するフォルダ生成部と、前記記録される音声ファイルを、前記同一日付のフォルダに格納する音声ファイル格納部と、前記日付データにより認識された一の日付と同じ日付、もしくは前の日付及び後の日付の音声ファイルの有無を判定し、前記認識された一の日付と同じ日付の音声ファイルの数と、判定された前記前の日付あるいは前記後の日付の少なくとも一方の日付の音声ファイルの存在を示す表示とを、表示器の表示画面上に表示し、かつ前記音声ファイルの数は、前記記録される音声ファイルが格納された後の前記同一日付のフォルダに含まれる音声ファイルの数である表示制御部と、
を有する音声再生装置を提供することができる。
【発明の効果】
【００１０】
本発明によれば、記録された日付よりも前にあるいは後に音声ファイルがあるか否かをユーザが簡単に把握することができる音声ファイル再生装置及び方法を提供することができる。
【図面の簡単な説明】
【００１１】
【図１】本発明の実施の形態に係わる音声記録再生装置の構成を示すブロック回路図である。
【図２】本発明の実施の形態に係わる、録音時の処理の流れの例を示すフローチャートである。
【図３】本発明の実施の形態に係わる、停止モード時の表示画面の例を示す図である。
【図４】本発明の実施の形態に係わる、CPU５によって作成されるファイルとフォルダの関係を説明するための図である。
【図５】本発明の実施の形態に係わる日付画面の表示例を示す図である。
【図６】本発明の実施の形態に係わる、前の方向指示を付けた日付画面の例を示す図である。
【図７】本発明の実施の形態に係わるファイル消去時の処理の流れの例を示すフローチャートである。
【図８】本発明の実施の形態に係わる録画要求画面の例を示す画面である。
【図９】本発明の実施の形態に係わる、後の方向指示を付けた日付画面の例を示す図である。
【図１０】本発明の実施の形態に係わる、前と後の２つの方向指示を付けた日付画面の表示例を示す図である。
【図１１】本発明の実施の形態に係わる、CPU５によって作成されたファイルとフォルダの関係を説明するための図である。
【発明を実施するための形態】
【００１２】
以下、図面を参照して本発明の実施の形態を説明する。  
（ハードウエア構成）
まず図１に基づき、本実施の形態に係わる、音声ファイルを再生する音声再生装置としての音声記録再生装置の構成を説明する。図１は、本実施の形態に係わる音声記録再生装置の構成を示すブロック回路図である。
【００１３】
音声記録再生装置１００は、音声を電気信号に変換するマイクロホン（MIC）１を具備し、該マイクロホン１からの音声出力は接続されたマイクアンプ（AMP）２によって増幅されるようになっている。このマイクアンプ２の出力はローパスフィルタ（LPF）３を介してA/D変換器（ADC）４に入力されるようになっており、マイクアンプ２で増幅されたアナログの音声信号は、ローパスフィルタ３でエリアシングノイズの発生を防止するため不要な周波数帯域をカットされ該A/D変換器４に入力される。
【００１４】
上記A/D変換器４においてアナログ信号である音声信号はデジタル信号に変換された後、デジタル信号処理部（DSP）を含むCPU５に入力されるようになっている。
【００１５】
また、CPU５には、操作部６、不揮発性メモリ７、水晶振動子からなる発振子８、電源制御部９及び表示部１０が接続されている。
【００１６】
操作部６は、各種操作釦、例えば「録音」、「停止」、「再生」、「早送り」、「早戻し」、「消去」、「日付画面表示釦」等の複数の釦を含む。ユーザは、これらの操作釦を操作することによって、「録音」、「再生」、「消去」等の所望の機能を実行するように、CPU５に対して指示することができる。
【００１７】
早送り釦と早戻し釦は、それぞれ通常の早送り操作、早戻し操作用のスイッチとしての役目を果たすと共に、日付情報の変更操作をするための日付情報変更操作手段としての役目を果たす。
【００１８】
不揮発性メモリ（以下、単にメモリという）７は、音声データを含む音声ファイルを記録する、例えばフラッシュメモリである記録媒体である。音声データは、音声ファイルとして、CPU５の制御の下、メモリ７に記録される。さらに、CPU５は、メモリ７に記録されている音声ファイルを読み出して、再生することができる。音声ファイルは、音声ファイルの日付データを含みあるいは日付データが付加されている。よって、メモリ７は、音声ファイルと、その音声ファイルの日付データとを記憶する。
【００１９】
発振子８は、日付情報を管理するためにクロックを生成する回路である。日付情報である日付データは、CPU５が後述する日付に基づいてフォルダ検索等を実行する際に演算上用いるデータである。
【００２０】
電源制御部９は、音声記録再生装置１００内の各回路へ電源を供給するための回路である。  
表示部１０は、後述するような各種画面を表示するための、例えば液晶表示器である表示装置である。
【００２１】
録音が指示されると、CPU５は、録音時には、A/D変換器４でデジタル信号に変換された音声信号をフレーム単位で一定のフォーマットのデータに圧縮変換（符号化）し、符号化された音声データをメモリ７に記録する。
【００２２】
また、再生時には、CPU５は、メモリ７からの音声データをフレーム単位で伸長変換（復号化）する処理を行い、復号化されたデジタル信号は、D/A変換器１１に対して出力するようになっている。
【００２３】
そのために、音声記録再生装置１００は、D/A変換器１１に加えて、ローパスフィルタ（LPF）１２、パワーアンプ（AMP）１３、及びスピーカ（SP）１４を有している。D/A変換器１１でアナログ信号に変換された音声信号は、不要な周波数帯域をカットして量子化雑音を軽減するローパスフィルタ１２を介して、該音声信号を増幅してスピーカを駆動するパワーアンプ１３に入力されるようになっている。また、該パワーアンプ１３で増幅された音声信号は音声に変換して放音するスピーカ１４またはイヤホンジャックより発音されるようになっている。
【００２４】
CPU５は、DSPを含み、音声記録再生装置１００の各部の動作を制御する制御手段としての役目を果たす。例えば、録音時には、CPU５は、メモリ７に、音声データを音声ファイルとして、日付フォルダ内に記録する記録制御手段として機能する。再生時には、CPU５は、メモリ７から音声データを読み出して、スピーカ１４またはイヤホンジャックから音声が発音させる再生制御手段として機能する。  
なお、メモリ７は、音声記録再生装置１００の本体に対して複数あってもよいし、着脱自在であってもよい。
（動作）  
音声記録再生装置１００の各種機能は、CPU５内のROM（図示せず）に記憶されたソフトウエアプログラムが実行されることによって実現される。上述したように、ユーザは、操作部６の各種釦を操作することによって、音声記録再生装置１００の所望の機能を実行させることができるが、以下、音声ファイルの表示に関連する録音機能とファイル消去機能について説明する。
（録音動作）
まず、音声記録再生装置１００を用いて録音するときの処理の流れを説明する。図２は、録音時の処理の流れの例を示すフローチャートである。  
音声記録再生装置１００の電源スイッチ（図示せず）がONにされると、CPU５は、時計が設定済みであるか否かが判定される（ステップ（以下、Sと略す））。時計が設定済みでないときは、S1でNOとなって、処理は、現在の日時を設定する日時設定画面へ移行する（S2）。ユーザは、表示部１０に表示された日時設定画面上で時計の日時の設定を行うことができる。S2の処理は、一般に、ユーザが、製品としての音声記録再生装置１００を購入後使用前に行う処理である。
【００２５】
また、ユーザは、音声記録再生装置１００のメニュー画面（図示せず）の中から、日時設定画面を呼び出して表示させることもできる。例えば、長時間の使用により設定された時刻が実際の現在時刻からずれてきたような場合に、ユーザは、この日時設定画面を用いて、時計に設定される現在日時を、正確な実際の日時時刻に合わせることができる。
【００２６】
時計の設定が完了したか否かが判定される（S3）。時計の設定が完了しない場合、例えば、日時設定画面を用いた時計の日時の設定の途中で、ユーザにより時計設定処理のキャンセルが指示されたような場合、時計は、所定のデフォルトの時刻に設定される（S4）。S2、S3及びS4の処理は、日時情報を設定する日時情報設定部を構成する。
【００２７】
時計の設定が済んでいる場合（S1:YES)あるいは時計設定後の場合（S3:YES,S4）、CPU５は、その設定された現在日時データを取得し（S5）、音声記録再生装置１００を停止モードに移行する（S6）。停止モード時は、CPU５は、表示部１０に図３に示すような画面を表示させる。
【００２８】
図３は、停止モード時の表示画面の例を示す図である。停止モード時の表示画面（以下、停止状態画面という）は、図３に示すように、表示部１０の表示画面の表示領域２１内に、その日付のフォルダ中のあるファイルの再生位置を表示した画面である。例えば、図３では、２０１０年7月２６日のフォルダには、４つのファイルがあり、その中の４番目のファイルが、３秒まで再生された状態で停止していることを示している。そのため、「２０１０／７／２６」の日付表示と、「０４／０４」のファイル数と何番目のファイルであるかを特定するファイル特定表示と、「００M０３S」の再生時間位置表示と、「停止」の停止状態表示とが、停止状態画面内に含まれる。
【００２９】
次に、操作部６の中の１つの釦である録音釦が押下されたか否かが判定される（S7）。録音釦が押下されなければ（S7:NO）、処理はS6に戻る。録音釦が押下されると（S7:YES）、音声記録再生装置１００を録音モードに移行する（S8）。録音モード時、CPU５は、マイク１からの音声信号を録音するための処理を実行する。
【００３０】
操作部６の中の１つの釦である停止釦が押下されたか否かが判定される（S9）。停止釦が押下されなければ（S9:NO）、処理は、S8に戻り、録音処理が継続される。S7、S8及びS9が、録音動作部を構成する。  
停止釦が押下されると（S9:YES）、CPU５は、設定されている現在日時で録音された音声データのファイルを作成する（S10）。例えば、録音の開始時刻を基準とする音声ファイルが作成される。
【００３１】
そして、CPU５は、作成した音声ファイルの日付と同一日付のフォルダが有るか否かを判定する（S11）。  
作成した音声ファイルの日付と同一日付のフォルダが有る場合（S11:YES）、CPU５は、その同一日付のフォルダに、作成した音声ファイルを格納する（S12）。
【００３２】
図４は、CPU５によって作成されるファイルとフォルダの関係を説明するための図である。rootのフォルダの下に、日付毎のフォルダが作成される。作成された新たなファイルは、そのファイルの日付と同一日付のフォルダ内に、格納されるので、そのフォルダ内のファイルとなる。図４は、２０１０年８月３日のフォルダに、５つの音声ファイルfile001,file002,file003,file004,file005が格納されていることを示している。
【００３３】
図２に戻り、操作部６の中の１つの釦である日付画面表示釦が押下されたか否かが判定される（S13）。日付画面表示釦が押下されると（S13:YES）、CPU５は、日付画面を生成して表示部１０に表示する（S14）。
【００３４】
図５は、日付画面の表示例を示す図である。表示部１０の表示画面の表示領域２１内には、表示しているフォルダの日付と、そのフォルダに含まれるファイル数とが表示される。日付画面の中央部の矩形部２２には、「日にち」と「曜日」が表示される。矩形部２２の上側の矩形部２３には、「年」と「月」が表示される。矩形部２２の下側の矩形部２４には、「ファイル数」が表示される。すなわち、日付画面は、「年」、「月」、「日にち」、「曜日」及び「ファイル数」の情報を、フォルダの情報として表示する画面である。
【００３５】
フォルダの日付は、矩形部２４の「04ファイル」により、「２０１０年８月３日」のフォルダ内に４つのファイルが含まれていることを示している。S12で既存のフォルダにファイルが追加されると、矩形部２４は、「05ファイル」に変更され、日付画面は、５つのファイルがそのフォルダに含まれていることを示すように変更される。矩形部２４には、音声ファイルが格納された後の同一日付のフォルダに含まれる音声ファイルの数が表示される。
【００３６】
そして、録音釦が押下されたか否かが判定され（S15）、録音釦が押下された場合（S15:YES）、処理は、S8に戻り、録音モードに入る。
【００３７】
また、録音釦が押下されない場合（S15:NO）、CPU５は、電源がOFFされたか否かを判定する（S16）。電源がOFFされない場合（S16:NO）、処理は、S6に戻り、停止モードに移行する。電源がOFFされた場合（S16:YES）、処理は、終了する。  
なお、S13でNOの場合も、処理は、S6に戻り、停止モードに移行する。
【００３８】
S11でNOの場合、すなわち作成されたファイルの日時と同一日付のフォルダが無い場合、CPU５は、その録音の日付のフォルダを作成し（S17）、その作成したフォルダに、その録音の音声ファイルを格納する（S18）。S11及びS17の処理は、音声ファイルをメモリ７に記録するときに、記録される音声ファイルの日付と同一日付のフォルダがない場合、同一日付のフォルダを生成するフォルダ生成部を構成する。S12及びS18の処理は、記録される音声ファイルを、同一日付のフォルダに格納する音声ファイル格納部を構成する。
【００３９】
すなわち、フォルダは、その日付のファイルが初めて作成されたときに、作成されるので、ある日付のフォルダがないということは、その日付の音声ファイルが無いことを意味する。そして、後述するように、フォルダ内にファイルが１つもなくなると、フォルダは削除される。
【００４０】
そして、日付画面表示釦が押下されたか否かが判定され（S19）、日付画面表示釦が押下されない場合（S19:NO）、処理は、S6に戻り、停止モードに移行する。
【００４１】
また、日付画面表示釦が押下された場合（S19:YES）、CPU５は、作成したファイルの日付よりも前又は後の日付フォルダすなわち音声ファイルがあるか否かを判定する（S20）。S20では、作成されたファイルの日付が、「２０１０年８月２４日」であるとすれば、その日付よりも前の（過去の）日付のフォルダがあるか否か、さらにその日付よりも後の（その日付から見て未来の）日付のフォルダがあるか否かが、判定される。S20の処理が、メモリ７に記録されている音声ファイルの日付データを認識する日付認識部を構成する。
【００４２】
今、２０１０年８月２４日の音声ファイルが作成され、同一日付のフォルダがなかったときには、２０１０年８月２４日付けのフォルダが作成される。そのとき、過去に２０１０年８月３日の日付のフォルダが既に存在しているとする。
【００４３】
その場合、CPU５は、新たに作成したフォルダ（２０１０年８月２４日のフォルダ）よりも前の（過去の）フォルダがあるので（S20:YES）、前の方向指示を付けて日付画面を表示する（S21）。
【００４４】
図６は、前の方向指示を付けた日付画面の例を示す図である。図６の日付画面は、画面の中央部に３つの矩形部２２，２３，２４を含むと共に、画面の左側に縦長矩形部２５を含み、その縦長矩形部２５内に、左向きの方向を示す図形２５ａ（ここではアローヘッドの「＜」形の図形）が表示される。この図形２５ａは、矩形部２２，２３に示されている日付よりも前の日付のフォルダあるいは音声ファイルが存在することを示す表示である。従って、左向きの方向を示す図形２５ａによって、ユーザは、矩形部２２，２３に示されている日付よりも前の日付のフォルダが存在することを容易に認識することができる。
【００４５】
また、S20でNOの場合は、CPU５は、画面の左右に、左向き及び右向きの方向を示す図形は無しで、上述した図５のような日付画面を表示する（S22）。
【００４６】
なお、後述するように、ユーザが本体の日付を変更して、過去の日付で録音をするような場合がある。そのような場合には、S21では、作成したフォルダの日よりも後の日付のフォルダが存在する場合があるので、そのような場合は、後述する図９あるいは図１０のように、右向きの方向を示す図形が表示される。よって、S20、S21及びS22の処理は、日付データにより認識された一の日付と同じ日付、もしくは前の日付及び後の日付の音声ファイルの有無を判定し、認識された一の日付と同じ日付の音声ファイルの数と、判定された前の日付あるいは後の日付の少なくとも一方の日付の音声ファイルの存在を示す表示とを、表示部１０の表示画面上に表示し、かつその表示される音声ファイルの数は、記録される音声ファイルが格納された後の同一日付のフォルダに含まれる音声ファイルの数である表示制御部を構成する。
【００４７】
よって、ユーザは、矩形部２２，２３に示されている日付よりも前及び後の日付のフォルダが存在しないことを容易に認識することができる。S21及びS22の処理によって、表示された日付画面において、矩形部２４に表示されるファイルの数は、ファイルが消去された後のそのフォルダ内に含まれる音声ファイルの数である。  
なお、なお、S19でNOの場合、処理は、S6に戻り、停止モードに移行する。
（消去動作）
次に、音声記録再生装置１００を用いてファイルを消去するときの処理の流れを説明する。図７は、ファイル消去時の処理の流れの例を示すフローチャートである。図７の処理は、操作部６の中の１つの釦である消去釦が押下されることによって実行される。
【００４８】
消去釦が押下されると、CPU５は、音声記録再生装置１００の表示部１０に日付画面を表示しているか否かを判定する（S31）。表示部１０が日付画面を表示していない状態である場合（S31:NO）、すなわち図３のような停止状態画面が表示されている場合、１件のファイルの消去であるか否かが判定される（S32）。この判定は、表示部１０の表示画面上に、「１件のファイルの消去」を選択する画面が表示され、ユーザがその選択をするか否かによって行われる。
【００４９】
１件のファイルの消去の場合（S32:YES）、CPU５は、画面上で特定されている音声ファイルを消去する（S33）。図３の場合、２０１０年７月２６日のフォルダ中の４つのファイル中の４番目のファイルが特定されている状態であるので、その４番目のファイルが消去される。
【００５０】
ファイルの消去後、CPU５は、その同一フォルダ内にファイルが有るか否かを判定する（S34）。図３の場合、１件のファイルが消去されても、３件のファイルがあるため、S34でYESとなり、音声記録再生装置１００は、停止モードへ移行し（S35）、表示部１０には、図３のような停止状態画面が表示され、ファイル数表示のみが変更される。
【００５１】
同一フォルダ内にファイルが無い場合（S34:NO）、CPU５は、日付フォルダ内にはファイルは無いため、その日付フォルダを削除する（S36）。
【００５２】
１件のファイルの消去でない場合（S32:NO）、CPU５は、日付フォルダ内の全ファイルの消去か否かを判定する（S37）。この判定は、表示部１０の画面上に、「日付フォルダ内の全ファイルの消去」を選択する画面が表示され、ユーザがその選択をするか否かによって行われる。
【００５３】
日付フォルダ内の全ファイルの消去の場合（S37:YES）、CPU５は、画面上で特定されている日付フォルダ内の全ファイルを消去する（S38）。処理は、その日付フォルダ内の全ファイルを消去した後、S36へ移行して、その日付フォルダは削除される。S33及びS38の処理は、メモリ７に記録されている音声ファイルを消去する音声ファイル消去部を構成する。S34、S36及びS38の処理は、音声ファイルを消去した後、消去ファイルが格納されていたフォルダ内に音声ファイルが存在しなくなったときに、消去ファイルが格納されていたフォルダを消去するフォルダ消去部を構成する。
【００５４】
日付フォルダ内の全ファイルの消去でない場合（S37:NO）、CPU５は、その消去指示をキャンセルして（S39）、処理を停止モードへ移行する（S40）。
【００５５】
また、S31でYESの場合すなわち表示部１０に日付画面が表示されている場合は、表示されている日付フォルダの削除か否かが判定される（S41）。この判定は、表示部１０の画面上に、「日付フォルダの削除」を選択する画面が表示され、ユーザがその選択をするか否かによって行われる。
【００５６】
日付フォルダの削除の場合（S41:YES）、処理は、S38へ移行し、CPU５は、日付画面で特定されている日付のフォルダ内の全ファイルを消去する（S38）。その後、処理は、S36へ移行して、その日付フォルダが削除される。
なお、この場合（S41:YES,S36）、日付フォルダが消去された後は、その消去された日付フォルダの日付に最も近い後の日付のフォルダを表示するようにしてもよい。
【００５７】
日付フォルダの削除でない場合（S41:NO）、処理は、S39へ移行し、CPU５は、その消去指示をキャンセルして（S39）、処理を停止モードへ移行する（S40）。
【００５８】
S36により日付フォルダが削除されると、CPU５は、削除した日付フォルダの日付よりも後の日付のフォルダがあるか否かを判定する（S42）。削除した日付フォルダの日付よりも後の日付のフォルダがある場合（S42:YES）、削除した日付フォルダの日付よりも後の日付のフォルダが、図３のような停止状態画面で表示される（S43）。
【００５９】
削除した日付フォルダの日付よりも後の日付のフォルダがない場合（S42:NO）、CPU５は、削除した日付フォルダの日付よりも前の日付のフォルダがあるか否かを判定する（S44）。削除した日付フォルダの日付よりも前の日付のフォルダがある場合（S44:YES）、削除した日付フォルダの日付よりも前の日付のフォルダ（すなわち最新の日付のフォルダ）が、図３のような停止状態画面で表示される（S45）。
【００６０】
削除した日付フォルダの日付よりも前の日付のフォルダがない場合（S44:NO）、CPU５は、録画要求画面を表示し（S46）、処理は、終了する。録音要求画面は一例なので前の日付のフォルダが無い場合は停止画面としてもよい。  
図８は、録画要求画面の例を示す画面である。録画要求画面は、表示領域２１内に、「録音をして下さい」というメッセージと、録音を示す絵あるいはアイコンとを含む。
【００６１】
次に、S43及びS45の後、CPU５は、操作部６の日付画面表示釦が押下されたか否かを判定する（S47）。日付画面表示釦が押下されると（S47:YES）、CPU５は、表示している停止状態画面に係わるフォルダの日付の前又は後の日付のフォルダがあるか否かを判定する（S48）。S48の処理が、メモリ７に記録されている音声ファイルの日付データを認識する日付認識部を構成する。
【００６２】
この判定は、フォルダデータを検索することによって、行うことができる。  
表示している停止状態画面の日付のフォルダの前又は後の日付のフォルダがある場合（S48:YES）、前の方向指示（すなわち左向きの方向を示す図形）あるいは後の方向指示（すなわち右向きの方向を示す図形）、あるいは前と後の方向指示（すなわち左右の両方向を示す図形）を有する日付画面を、CPU５は生成して表示部１０に表示する（S49）。
【００６３】
例えば、表示している日付画面の日付よりも前の日付の日付フォルダしかない場合、図６のように、画面の左側に縦長矩形部２５が表示され、その縦長矩形部２５内に、左向きの方向を示す図形２５ａが表示される。
【００６４】
また、表示している日付画面の日付よりも後の日付の日付フォルダしかない場合、図９のように、画面の右側に縦長矩形部２５が表示され、その縦長矩形部２５内に、右向きの方向を示す図形２５ｂが表示される。図９は、後の方向指示を付けた日付画面の例を示す図である。
【００６５】
さらにまた、表示している日付画面の日付よりも前と後の日付の日付フォルダがある場合、図１０のように、画面の左右側に縦長矩形部２５が表示され、その２つの縦長矩形部２５内に、それぞれ右向きと左向きの方向を示す図形２５ａ、２５ｂが表示される。
【００６６】
図１１は、CPU５によって作成されたファイルとフォルダの関係を説明するための図である。rootのフォルダの下に、２０１０年８月３日、同年８月１１日、同年８月２４日のフォルダが作成されている。２０１０年８月３日の日付画面が表示されている場合、２０１０年８月３日よりも前の日付のフォルダがないので、日付画面は、図９のような画面となる。２０１０年８月１１日の日付画面が表示されている場合、２０１０年８月１１日の前と後の日付のフォルダがあるので、日付画面は、図１０のような画面となる。図１０は、前と後の２つの方向指示を付けた日付画面の表示例を示す図である。２０１０年８月２４日の日付画面が表示されている場合、２０１０年８月２４日よりも前の日付のフォルダはあるが、その８月２４日よりも後の日付のフォルダはないので、日付画面は、図６のような画面となる。
【００６７】
よって、ユーザは、矩形部２２，２３に示されている日付よりも前と後の日付のフォルダの有無を容易に認識することができる。
【００６８】
また、表示している停止状態画面の日付のフォルダの前と後の日付のフォルダがない場合（S48:NO）、図５に示すような、前と後の方向指示（すなわち左右の両方向を示す図形）が無い日付画面を、CPU５は生成して表示部１０に表示する（S50）。よって、S48、S49及びS50の処理は、日付データにより認識された一の日付と同じ日付、もしくは前の日付及び後の日付の音声ファイルの有無を判定し、認識された一の日付と同じ日付の音声ファイルの数と、判定された前の日付あるいは後の日付の少なくとも一方の日付の音声ファイルの存在を示す表示とを、表示部１０の表示画面上に表示し、かつその表示される音声ファイルの数は、記録される音声ファイルが格納された後の同一日付のフォルダに含まれる音声ファイルの数である表示制御部を構成する。また、S49及びS50の処理によって、表示された日付画面において、矩形部２４に表示されるファイルの数は、ファイルが消去された後のそのフォルダ内に含まれる音声ファイルの数である。
【００６９】
なお、日付画面表示釦が押下されない場合（S47:NO）、CPU５は、処理を停止モードへ移行する（S40）。
【００７０】
また、日付画面の表示状態においては、所定の釦、例えば早戻し釦が押下されると、CPU５は、表示している日付フォルダの日付よりも前の日付のフォルダを表示するように表示制御を行う。同様に、日付画面の表示状態においては、所定の釦、例えば早送り釦が押下されると、CPU５は、表示している日付フォルダの日付よりも後の日付のフォルダを表示するように表示制御を行う。早戻し釦と早送り釦は、日付情報の変更操作をするための日付情報変更操作部を構成する。
【００７１】
例えば、図１１に示す３つのフォルダがある場合、８月１１日の日付画面が表示されているときに、早戻し釦を押すと８月３日の日付画面に切り替わる。同様に、８月１１日の日付画面が表示されているときに、早送り釦を押すと８月２４日の日付画面に切り替わる。また、８月３日の日付画面が表示されているときに、早戻し釦を押しても、８月３日より前の日付フォルダが存在しないので、日付画面は切り替わらない。しかし、８月３日の日付画面が表示されているときに、早送り釦を押すと、８月３日より後の日付フォルダが存在するので、８月１１日の日付画面に切り替わる。同様に、８月２４日の日付画面が表示されているときに、早送り釦を押しても、８月２４日より後の日付フォルダが存在しないので、日付画面は切り替わらない。しかし、８月２４日の日付画面が表示されているときに、早戻し釦を押すと、８月２４日より前の日付フォルダが存在するので、８月１１日の日付画面に切り替わる。
【００７２】
なお、録音動作においては時計の設定処理において設定された現在時刻に従って日付が管理されて日付フォルダが作成され、設定された現在時刻は、その後は、発振子８のクロックに基づいて更新されていく。しかし、ユーザは、日時設定画面を用いてその日時設定を変更することができる。
【００７３】
例えば、ユーザは、音声メモを、過去の日付の音声データとして記録しておきたい場合がある。あるいは、ユーザは、音声メモを、未来の所望の日にちにおけるスケジュールを音声データとして記録しておきたい場合がある。それらの場合、ユーザは日時設定画面を用いて所望の日時を設定することができる。
【００７４】
そのような日付変更がされた場合、録音は、設定された過去の日にちあるいは未来の日にちに基づいて行われる。図２において、ユーザにより日付変更処理がされると（S23）、処理は、S5に進み、その後の処理は、上述したように行われる。S23の処理は、記録される日付を変更するための日付変更部を構成する。
【００７５】
結果として、日付変更により過去に追加されたあるいは未来に追加されたフォルダを含めて、日付画面表示釦が押下されると、表示しているフォルダの日付よりも前あるいは後の日付のフォルダの有無が判るように、日付画面は表示される。
【００７６】
なお、上述した実施の形態では、表示されている日付画面よりも前あるいは後の日付のフォルダがあるか否かを示す表示として、右向きと左向きの方向を示す図形２５ａを用いているが、他の図形、あるいは記号、文字などでもよい。
【００７７】
以上のように、上述した本実施の形態によれば、ユーザは、従来のような煩雑な操作を必要としないで、記録されている音声ファイルの日付よりも前にあるいは後の日付の音声ファイルがあるか否かを簡単に認識することができる。
【００７８】
なお、上述した実施の形態では、音声ファイルは、マイク１により得られた音声から生成されたファイルであるが、音声ファイルは、マイク１で録音されたものでなくても、外部から有線あるいは無線で入力された音声ファイルであってもよい。
【００７９】
さらになお、上記の実施の形態では、デジタルレコーダのような音声記録再生装置１００を例として説明したが、記録機能を有しないで再生機能だけを有する再生装置においても、上記のようなフォルダの日付画面の表示を行うようにすることが可能である。
【００８０】
例えば、再生装置が音声データを外部から有線あるいは無線でメモリに転送して記録する機能を有していれば、転送された音声ファイルを、音声ファイルの日付のフォルダを生成して格納するようにすれば、上記のようなフォルダの日付画面の表示により、ユーザは、記録されている音声ファイルの日付よりも前にあるいは後の日付の音声ファイルがあるか否かを簡単に認識することができる。
【００８１】
また、上記の実施の形態では、日付情報は、日にちを基準にフォルダを作成し、日にちのフォルダの有無が、その日にちの音声ファイルの有無に対応しているものであるが、月を基準にフォルダを作成するようにしてもよい。例えば、「１月」の日付の音声ファイルの場合は、月を基準として「１月」のフォルダを作成して、その音声ファイルをその「１月の」のフォルダに格納する。そして、その日付画面は、月単位の日付画面であり、表示されている月よりも、前の日付のすなわち前の月のフォルダがあるか、さらに後の日付のすなわち後の月のフォルダがあるかを判定し、その判定結果に基づいて、日付画面において所定の表示を行うようにしてもよい。
【００８２】
さらになお、「月」でなく「年」を基準にフォルダを作成して、音声ファイルを格納するようにしてもよい。
【００８３】
また、上記の実施の形態の図５、図６、図９、図１０に示す日付画面では、表示部１０の表示領域２１内において、矩形部２２，２３，２４の領域と、左右の矩形部の２つの領域は、横方向に略一直線に並んでいるが、これら３つの領域は、縦方向に、あるいは対角線方向に、並べて表示部１０の表示領域２１に表示するようにしてもよい。各領域が、ユーザに視覚的に認識できる状態で、略一直線に並んで見えるものであれば、その並ぶ方向は、横方向だけに限られない。その各領域がユーザに視覚的に認識できる状態とは、各領域が、○、△、□等の所定の形状の枠で示されていたり、互いに異なる色で色分けされて示されていたり、あるいは所定の形状枠と色の組み合わせで表示される状態である。
【００８４】
本発明は、上述した実施の形態に限定されるものではなく、本発明の要旨を変えない範囲において、種々の変更、改変等が可能である。
【符号の説明】
【００８５】
１  マイクロホン、２  マイクアンプ、３、１２  ローパスフィルタ、４  A/D変換器、５  CPU、６  操作部、７  不揮発性メモリ、８  発振子、９  電源制御部、１０  表示部、２１  表示領域、１００  音声記録再生装置
【図１】
2012038063.tif 000003
【図２】
2012038063.tif 000004
【図３】
2012038063.tif 000005
【図４】
2012038063.tif 000006
【図５】
2012038063.tif 000007
【図６】
2012038063.tif 000008
【図７】
2012038063.tif 000009
【図８】
2012038063.tif 000010
【図９】
2012038063.tif 000011
【図１０】
2012038063.tif 000012
【図１１】
2012038063.tif 000013